(57)【要約】【課題】簡単な機構により、レンズ鏡筒に簡単にロックできるレンズキャップを提供する。【解決手段】第１のキャップ部材１と、その内側に嵌合して回動する第２のキャップ部材２からなり、前記第２のキャップ部材２の外壁部の一部は切り欠かれて板バネ３を構成し、前記第１のキャップ部材１の内壁には、前記板バネ３と接触し、その接触部の半径方向位置が前記第１のキャップ部材１と第２のキャップ部材２の回動につれて変化する部分があり、前記第１のキャップ部材１と第２のキャップ部材２を互いに回動させることにより、前記第１のキャップ部材１と前記板バネ３の接触する部分が変わって、前記板バネ３の前記第１のキャップ部材１と接触する部分の半径位置が変化し、それにより、前記板バネ３に取り付けられた爪５の位置が、半径方向に変化し、前記鏡筒部の周上に設けられた凹溝部１０に嵌り込んだり、前記凹部溝１０から離れたりするようにされている。【選択図】  図１
2009086454.tif 000002
【特許請求の範囲】
【請求項１】
レンズを有する光学機器の鏡筒部に嵌められて前記レンズを保護するレンズキャップであって、第１のキャップ部材と、その内側に嵌合して、前記第１のキャップ部材に対して相対回動する第２のキャップ部材からなり、前記第２のキャップ部材の外壁部の一部は切り欠かれて板バネを構成し、前記第１のキャップ部材の内壁には、前記板バネと接触し、その接触部が、前記第１のキャップ部材の中心を中心とする半径方向に、当該中心との間隔が変化する部分があり、前記第１のキャップ部材と第２のキャップ部材を互いに回動させることにより、前記第１のキャップ部材と前記板バネの接触する部分が変わって、前記板バネに取り付けられた爪の位置が、前記第２のキャップの径方向に変化し、前記鏡筒部の周上に設けられた凹溝部に嵌り込んだり、前記凹部溝から離れたりするようにされていることを特徴とするレンズキャップ。
【請求項２】
請求項１に記載のレンズキャップであって、前記第１のキャップ部材の内壁の接触部は、前記第１のキャップ部材の中心を中心とする半径方向における位置が、当該内壁の周方向において連続的に変わる斜面部と、前記斜面部の当該内壁の周方向における両端に凹部を有し、前記板バネの前記第１のキャップ部材の内壁の接触部と接触する部位に、凸部を有することを特徴とするレンズキャップ
【請求項３】
請求項１又は請求項２に記載のレンズキャップと、前記レンズの鏡筒の周上に設けられた凹部溝を有することを特徴とする光学機器。
【発明の詳細な説明】
【技術分野】
【０００１】
本発明は、光学機器のレンズを保護するレンズキャップ及び光学機器に関するものである。
【背景技術】
【０００２】
従来の望遠鏡、双眼鏡等のレンズ鏡筒に取り付けるレンズキャップは、レンズに直接接触しないようにレンズ鏡筒の外径、あるいは内径に嵌合させて、キャップの材質を柔軟プラスチックにしたり、板バネを設けたりして、レンズ鏡筒との摩擦力で固定している。またねじやバヨネットで固定するものもある。
【０００３】
一方、双眼鏡などの一部にあるような、レンズキャップの取り外しを即座に行う必要のあるものは、上記のような固定はせずに、単に、レンズキャップを鏡筒部にかぶせただけのものもある。
【発明の開示】
【発明が解決しようとする課題】
【０００４】
このように双眼鏡の一部にあるような、レンズキャップの取り外しを即座に行うものは、レンズキャップを鏡筒部に固定をすることはできないので、キャップ取り付け状態でも、簡単にキャップが脱落し、レンズの保護機能を果たせなくなることがある。しかし、収納状態では脱落せず固定できるもののほうが良く、その機能が両立できなかった。又、レンズ鏡筒との摩擦力で固定するものについても、同じような問題があった。さらに、ねじやバネヨットで固定するものは、取り外しに時間がかかったり、機構が複雑になるという問題があった。
【０００５】
本発明はこのような事情に鑑みてなされたものであり、簡単な機構により、レンズ鏡筒に簡単にロックできるレンズキャップ、及びそれを有する光学機器を提供することを課題とする。
【課題を解決するための手段】
【０００６】
前記課題を解決するための第１の手段は、レンズを有する光学機器の鏡筒部に嵌められて前記レンズを保護するレンズキャップであって、第１のキャップ部材と、その内側に嵌合して、前記第１のキャップ部材に対して相対回動する第２のキャップ部材からなり、前記第２のキャップ部材の外壁部の一部は切り欠かれて板バネを構成し、前記第１のキャップ部材の内壁には、前記板バネと接触し、その接触部が、前記第１のキャップ部材の中心を中心とする半径方向に、当該中心との間隔が変化する部分があり、前記第１のキャップ部材と第２のキャップ部材を互いに回動させることにより、前記第１のキャップ部材と前記板バネの接触する部分が変わって、前記板バネに取り付けられた爪の位置が、前記第２のキャップの径方向に変化し、前記鏡筒部の周上に設けられた凹溝部に嵌り込んだり、前記凹部溝から離れたりするようにされていることを特徴とするレンズキャップである。
【０００７】
前記課題を解決するための第２の手段は、前記第１の手段のレンズキャップであって、前記第１のキャップ部材の内壁の接触部は、前記第１のキャップ部材の中心を中心とする半径方向における位置が、当該内壁の周方向において連続的に変わる斜面部と、前記斜面部の当該内壁の周方向における両端に凹部を有し、前記板バネの前記第１のキャップ部材の内壁の接触部と接触する部位に、凸部を有することを特徴とするものである。
【０００８】
前記課題を解決するための第３の手段は、前記第１の手段又は第２の手段のレンズキャップと、前記レンズの鏡筒の周上に設けられた凹部溝を有することを特徴とする光学機器である。
【発明の効果】
【０００９】
本発明によれば、簡単な機構により、レンズ鏡筒に簡単にロックできるレンズキャップ、及びそれを有する光学機器を提供することができる。
【発明を実施するための最良の形態】
【００１０】
以下、本発明の実施の形態の例を、図を用いて説明する。図１は、本発明の実施の形態であるレンズキャップの例を示す概要図であり、（ａ）は平面図、（ｂ）は正面図、（ｃ）は、下面図、（ｄ）は（ｂ）におけるＡ−Ａ断面図、（ｅ）は正面図において、第１キャップ部材１の前側半分を取り去り、隠れている第２キャップ部材２を正面から見た様子を示した図である。
【００１１】
このレンズキャップは、第１キャップ部材１と第２キャップ部材２の二部品で構成される。第２キャップ部材２の一部に切り欠き３ａを入れ、かつ薄肉化し板バネ３を形成している。板バネ３の一部に凸部４（クリック部）を配置する。
【００１２】
図２は図１（ｄ）におけるＢの部分拡大図である。この状態はロック爪５が退避したロック開放状態を示している。板バネ３から紙面の上下方向に伸びた腕の先にロック爪５がある。凸部４は第１キャップ部材１の内周面に形成された凹部８に落ち込んでおり、第１キャップ部材１の周方向に位置が変わるごとに、第１キャップ部材１の中心を中心とする半径方向における位置が連続的に変わる。斜面７につながっている（板バネの第１キャップ部材１と接触する部分の、第１キャップ部材１の中心を中心とする半径が変化している部分に相当する）。凸部４と斜面７が接触する斜面７の位置が変化することにより、凸部４の、レンズ中心を中心とする半径方向における位置（以下、「半径位置」と称する）が変化し、それにつれて、板バネ３を介してロック爪５のレンズ中心を中心とする半径位置が変化する。後に示すように、ロック爪５がレンズ中心より離れるとレンズキャップはアンロック状態となり、ロック爪５がレンズ中心に近づくとレンズキャップはロック状態となる。凸部３が凹部８に斜面７から落ち込んだときに板バネ力によりクリック力が発生する。
【００１３】
図３も図１（ｄ）におけるＢ部の部分拡大図である。この状態はロック爪５が突出したロック状態を示している。板バネ３にある凸部４は凹部６に落ち込んでおり、この状態に移行時もクリック力が発生する。
【００１４】
図２のロック開放状態から図３のロック状態への移行は、第１キャップ部材１を回転させると、凸部４が凹部８から離れ、斜面７を経過して凹部６へ落ち込んで完了する。
【００１５】
なお、この状態以上に第１キャップ部材１が回転しないように、図１（ｄ）に示すような、回転制限が設けられている。すなわち、第１キャップ部材１には凹部１ａが設けられ、その中に第２キャップ部材２の凸部２ａが嵌り込んでいる。よって、この嵌り込んでいる間だけを、第１キャップ部材１と第２キャップ部材２とが相対回動することができる。逆回転させれば、逆の状態へ切り替え可能である。
【００１６】
図４はキャップの縦断面図であり、図２と同じロック開放状態を示す。レンズ鏡筒１１とレンズ鏡筒端９の間に形成されたロック溝１０から、レンズキャップから出たロック爪５は退避しているので、この状態ではキャップはかぶさっているだけである。
【００１７】
図５はキャップの縦断面図であり、図３と同じロック状態を示す。ロック溝１１に間にロック爪５が入り込んでいるので、この状態ではキャップが上に抜けること無く固定されている。
【図面の簡単な説明】
【００１８】
【図１】図１は、本発明の実施の形態であるレンズキャップの例を示す概要図であり、（ａ）は平面図、（ｂ）は正面図、（ｃ）は、下面図、（ｄ）は（ｂ）におけるＡ−Ａ断面図、（ｅ）は正面図において、正面図において、第１キャップ部材１の前側半分を取り去り、隠れている第２キャップ部材２を正面から見た様子を示した図である。
【図２】図１（ｄ）におけるＢの部分拡大図である。
【図３】図１（ｄ）におけるＢ部の部分拡大図である。
【図４】キャップの縦断面図であり、図２と同じロック開放状態を示す図である。
【図５】図５はキャップの縦断面図であり、図３と同じロック状態を示す図である。
【符号の説明】
【００１９】
１…第１キャップ部材、１ａ…凹部、２…第２キャップ部材、２ａ…凸部、３…板バネ、３ａ…切り欠き、４…凸部、５…ロック爪、６…凹部、７…斜面、８…凹部、９…レンズ鏡筒端、１０…ロック溝、１１…レンズ鏡筒
【図１】
2009086454.tif 000003
【図２】
2009086454.tif 000004
【図３】
2009086454.tif 000005
【図４】
2009086454.tif 000006
【図５】
2009086454.tif 000007